(57)【要約】【課題】被写体と背景画像とが自然に合成された撮影画像を写真プリントとして提供する写真プリント提供装置、写真プリント提供方法および写真プリント提供プログラムを提供する。【解決手段】本発明の写真プリント提供装置は、ユーザ６を含む被写体を撮影するカメラ２１と、カメラ２１の撮影可能範囲であって、被写体の背景となる領域に背景画像を表示する背景画像表示装置（反射型表示装置）５と、ユーザ６に対してカメラ２１による撮影を実行させる撮影処理を制御するＣＰＵ１００ａと、撮影処理によりカメラ２１で撮影された被写体および背景画像を含む撮影画像を印刷出力するプリンタ１２とを備える。【選択図】図１
2006053282.tif 000002
【特許請求の範囲】
【請求項１】
使用者を含む被写体を撮影するカメラと、
上記カメラの撮影可能範囲であって、被写体の背景となる領域に背景画像を表示する反射型表示装置と、
使用者に対して上記カメラによる撮影を実行させる撮影処理を制御する制御手段と、
上記撮影処理によりカメラで撮影された被写体および背景画像を含む撮影画像を印刷出力する印刷手段とを備えたことを特徴とする写真プリント提供装置。
【請求項２】
上記反射型表示装置の表示面に向けて光を照射する照明装置を備えた請求項１記載の写真プリント提供装置。
【請求項３】
上記照明装置は、上記撮影可能範囲内の使用者および反射型表示装置の表示面に向けて光を照射するものである請求項２記載の写真プリント提供装置。
【請求項４】
上記照明装置は、横方向から反射型表示装置の表示面に向けて光を照射する第１照明装置と、上方向から反射型表示装置の表示面に向けて光を照射する第２照明装置とを含む請求項２または３記載の写真プリント提供装置。
【請求項５】
上記カメラが、被写体を斜め上から撮影可能に設けられ、
上記反射型表示装置が、当該表示面がカメラの光軸に対して垂直になるよう設けられた請求項１〜４のいずれか一項に記載の写真プリント提供装置。
【請求項６】
上記背景画像を予め複数種類記憶する記憶手段と、
上記複数種類の背景画像の中からいずれかの背景画像を使用者に上記カメラの撮影可能範囲内で選択操作させるためのリモートコントロール手段とを備え、
上記制御手段は、上記リモートコントロール手段で選択された背景画像を上記反射型表示装置に表示する請求項１〜５のいずれか一項に記載の写真プリント提供装置。
【請求項７】
手書き背景画像の手書き入力を使用者から受け付ける背景画像受付手段を備え、
上記制御手段は、上記背景画像受付手段で受け付けた手書き背景画像を上記反射型表示装置に表示する請求項１〜６のいずれか一項に記載の写真プリント提供装置。
【請求項８】
使用者を含む被写体を撮影するカメラと、上記カメラの撮影可能範囲であって、被写体の背景となる領域に背景画像を表示する反射型表示装置とを準備し、
使用者に対して上記カメラによる撮影を実行させ、
上記カメラで撮影された被写体および背景画像を含む撮影画像を印刷出力することを特徴とする写真プリント提供方法。
【請求項９】
使用者を含む被写体を撮影するカメラと、上記カメラの撮影可能範囲であって、被写体の背景となる領域に背景画像を表示する反射型表示装置とを備えたコンピュータ装置に用いる写真プリント提供プログラムであって、
使用者に対して上記カメラによる撮影を実行させる撮影ステップと、
上記撮影処理によりカメラで撮影された被写体および背景画像を含む撮影画像を印刷出力する印刷ステップとを上記コンピュータ装置に実行させることを特徴とする写真プリント提供プログラム。
【発明の詳細な説明】
【技術分野】
【０００１】
本発明は、例えばゲームセンター等に設置され、硬貨等の投入により使用者を撮影し、当該撮影画像を写真プリントとして提供する写真プリント提供装置、写真プリント提供方法および写真プリント提供プログラムに関する。
【背景技術】
【０００２】
近年、ゲームセンター等の遊戯を提供する店舗において、写真を撮影してシールプリント等にする写真プリント提供装置が数多く設置されている。このような写真プリント提供装置には、一般に、使用者を含む被写体をカメラで撮影し、その撮影画像をタブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて写真プリントとして使用者に提供される。
【０００３】
最近は、写真プリント提供装置利用人口の増加とともに、そのニーズも多様化している。そこで、これらのニーズに応えるため、被写体の画像に合成されるフレームや前景として各種の趣向を凝らしたものも数多く提供されているが、単にフレームと顔写真とを合成するだけの画一的なものではもう満足されなくなってきている。
【０００４】
そこで、被写体のバックに多様な映像を表示して撮影できる画像撮影装置が提案されている（例えば、下記の特許文献１参照。）。この特許文献１に示す画像撮影装置では、被写体のバックとなる領域に映像を表示させる映像表示装置を備え、撮影手段による被写体の撮影において、被写体の照明として閃光装置による閃光を発光させ、被写体のバックに多様な映像が表示された写真を撮影することができるようになっている。
【特許文献１】特開２００２−３２０１７８号公報
【発明の開示】
【発明が解決しようとする課題】
【０００５】
しかしながら、上記特許文献１に示すような画像撮影装置では、上記映像表示装置により被写体のバックに多様な映像が表示された写真を撮影することができるようになっているが、上記映像表示装置に表示される映像の光度より上記閃光装置による閃光の光度の方が強いため、撮影時において閃光とともに、上記映像表示装置に表示される映像の鮮明度が低くなるという問題がある。すなわち、使用者は、鮮明度の低い映像を背景として撮影することとなり、見栄えの悪い映像を背景として撮影することになる。
【０００６】
逆に、上記映像表示装置に表示される映像の鮮明度を低下することを防止するために上記閃光装置による閃光の光度を低下させると、被写体の見栄えが悪くなり使用者の撮影画像に対する満足度が低下するという問題がある。このため、被写体には十分な光を照射することが望まれる。
【０００７】
また、クロマキー合成により被写体の背景を予め用意された背景画像と合成すると、被写体と背景画像との境界部分が不自然となるとともに、クロマキー合成のための処理負荷が高くなるという問題がある。
【０００８】
本発明は、このような事情に鑑みなされたもので、被写体と背景画像とが自然に合成された撮影画像を写真プリントとして提供する写真プリント提供装置、写真プリント提供方法および写真プリント提供プログラムの提供を目的とする。
【課題を解決するための手段】
【０００９】
上記目的を達成するため、本発明の写真プリント提供装置は、使用者を含む被写体を撮影するカメラと、上記カメラの撮影可能範囲であって、被写体の背景となる領域に背景画像を表示する反射型表示装置と、使用者に対して上記カメラによる撮影を実行させる撮影処理を制御する制御手段と、上記撮影処理によりカメラで撮影された被写体および背景画像を含む撮影画像を印刷出力する印刷手段とを備えたことを要旨とする。
【００１０】
また、上記目的を達成するため、本発明の写真プリント提供方法は、使用者を含む被写体を撮影するカメラと、上記カメラの撮影可能範囲であって、被写体の背景となる領域に背景画像を表示する反射型表示装置とを準備し、使用者に対して上記カメラによる撮影を実行させ、上記カメラで撮影された被写体および背景画像を含む撮影画像を印刷出力することを要旨とする。
【００１１】
また、上記目的を達成するため、本発明の写真プリント提供プログラムは、使用者を含む被写体を撮影するカメラと、上記カメラの撮影可能範囲であって、被写体の背景となる領域に背景画像を表示する反射型表示装置とを備えたコンピュータ装置に用いる写真プリント提供プログラムであって、使用者に対して上記カメラによる撮影を実行させる撮影ステップと、上記撮影処理によりカメラで撮影された被写体および背景画像を含む撮影画像を印刷出力する印刷ステップとを上記コンピュータ装置に実行させることを要旨とする。
【発明の効果】
【００１２】
すなわち、本発明によれば、上記反射型表示装置は、上記カメラの撮影可能範囲であって、被写体の背景となる領域に背景画像を表示する。上記制御手段は、使用者に対して上記カメラによる撮影を実行させる撮影処理を制御し、上記印刷手段は、上記撮影処理によりカメラで撮影された被写体および背景画像を含む撮影画像を印刷出力する。
【００１３】
したがって、光度の高い光を照射するほど鮮明に表示する反射型表示装置を被写体の背景となる領域に備えるため、使用者は、鮮明度の高い背景画像を背景として撮影することができ、見栄えの良い背景画像を含む撮影画像を得ることができる。また、上記反射型表示装置に表示される背景画像を背景として被写体が撮影されるため、例えばクロマキー合成による背景に比べて被写体と背景画像との境界部分が自然な合成がされた撮影画像を使用者に対して提供することができるとともに、クロマキー合成を行なう必要がなくなり、本装置の処理負荷を少なくすることができる。このように、本装置では、反射型表示装置を最適に用いることができる。
【００１４】
本発明において、上記反射型表示装置の表示面に向けて光を照射する照明装置を備えた場合には、上記反射型表示装置に表示される背景画像がより一層鮮明に表示されるため、使用者は上記鮮明な背景画像を背景として撮影を行なうことができる。
【００１５】
本発明において、上記照明装置は、上記撮影可能範囲内の使用者および反射型表示装置の表示面に向けて光を照射するものである場合には、使用者および反射型表示装置の表示面に対して十分な光を照射することができるため、使用者と背景画像が鮮明に表示され、使用者に対して見栄えのよい撮影画像を提供することができる。また、１の光源（照明装置）で上記使用者および反射型表示装置の表示面の両方を同時に照明できるため、光源効率（光源の発光効率）がよい。すなわち、光源からの発光を効率よく利用することができる。
【００１６】
本発明において、上記照明装置は、横方向から反射型表示装置の表示面に向けて光を照射する第１照明装置と、上方向から反射型表示装置の表示面に向けて光を照射する第２照明装置とを含む場合には、上記反射型表示装置の表示面全体に均一に十分な光を照射することができ、当該反射型表示装置に表示される背景画像全体を背景として鮮明に撮影することができる。
【００１７】
本発明において、上記カメラが、被写体を斜め上から撮影可能に設けられ、上記反射型表示装置が、当該表示面がカメラの光軸に対して垂直になるよう設けられた場合には、被写体を斜め上から見下ろすように撮影することができるとともに、当該被写体の背景を好適な角度で撮影することができる。これにより、カメラ写りの良い背景画像を背景として、例えば被写体である使用者の目が大きく見えるように撮影でき、使用者の遊戯に対する満足度が向上する。また、反射型表示装置の視野角によりカメラで撮像される背景画像の色合いが変わるという問題を防ぐことができる。
【００１８】
本発明において、上記背景画像を予め複数種類記憶する記憶手段と、上記複数種類の背景画像の中からいずれかの背景画像を使用者に上記カメラの撮影可能範囲内で選択操作させるためのリモートコントロール手段とを備え、上記制御手段は、上記リモートコントロール手段で選択された背景画像を上記反射型表示装置に表示する場合には、使用者は、上記カメラの撮影可能範囲内で上記複数種類の背景画像の中からいずれかの背景画像を選択操作し、当該選択した背景画像を背景として撮影することができる。すなわち、使用者は、撮影可能範囲内で撮影したい位置から移動することなく、撮影したい位置や構図で撮影のポーズをとりながら当該ポーズに合った背景画像を容易に選択することができる。また、上記背景画像が予め複数種類記憶されているため、背景の種類にバリエーションが広がり、使用者に対して好みに応じた撮影画像を提供することができる。
【００１９】
本発明において、手書き背景画像の手書き入力を使用者から受け付ける背景画像受付手段を備え、上記制御手段は、上記背景画像受付手段で受け付けた手書き背景画像を上記反射型表示装置に表示する場合には、使用者は、自分で手書き入力した手書き背景画像を背景として撮影を行なうことができ、自分の好みに応じた撮影画像を得ることができる。
【発明を実施するための最良の形態】
【００２０】
つぎに、本発明を実施するための最良の形態を説明する。
【実施例１】
【００２１】
図ｌは、本実施例における写真プリント提供装置の外観の具体例を示す図である。
【００２２】
この写真プリント提供装置（以下、「本装置」という）は、撮影筐体１、編集筐体２、背景画像表示装置５、サイドカーテン、パネル、フレーム材等が組み合わされて構成される。
【００２３】
本装置では、前述の構成要素を組み合わせることによって、主に撮影操作を行なう撮影空間３と、撮影後の画像に編集操作を行なう編集空間７とが形成される。
【００２４】
上記撮影空間３では、ユーザ６は、撮影筐体１に設けられた後述のタッチパネルディスプレイ２４等を操作し、撮影プレイを行なう。ユーザ６が撮影空間３内に出入りできるように撮影筐体１の正面に向かって左右の両側面は開放されているが、ユーザ６のプライバシーに配慮するため、または外部光を遮断するためなどの目的で、撮影空間３の周囲には周囲と撮影空間３とを区分するサイドカーテンが備えられている。
【００２５】
上記編集空間７では、ユーザ６は、編集筐体２に設けられた後述のタブレットディスプレイ１３やタッチペン１４Ｌ，１４Ｒ等を操作し、編集プレイを行なう。編集空間７の周囲にはユーザ６のプライバシーに配慮するためにカーテンが備えられている。
【００２６】
上記のような構成において、撮影空間３でユーザ６に対して撮影を実行させ、ユーザ６を編集空間７に誘導し、誘導した編集空間７でユーザ６に対してカメラ２１で撮影された撮影画像に対して落書き画像を入力させるようになっている。
【００２７】
撮影筐体１の内部には、撮影側コンピュータ装置１００、編集側コンピュータ装置１０１、プリンタ１２、および制御部（制御基板）１０２等の各種機器類を収めている。これらの詳細については、後で図７を参照して説明する。
【００２８】
ユーザ６は、本装置で遊戯（撮影プレイや編集プレイ）を行なう際には、まず、撮影空間３に入り、撮影筐体１に相対する向きで撮影（撮影プレイ）を行なう。そして、撮影の後、編集空間７に入り、撮影した画像（撮影画像）に、スタンプ画像やテキスト等の落書き画像をタッチペン１４Ｌ，１４Ｒで入力する編集操作（編集プレイ）を行なう。
【００２９】
撮影空間３内には、撮影を行なうユーザ６の背後に、ユーザ６を含む被写体を撮影するカメラ２１の撮影可能範囲であって、被写体の背景となる領域に背景画像を表示する背景画像表示装置５が備えられている。これについては、後で図４を参照して説明する。
【００３０】
また、撮影空間３の天井面にはＢＧＭ、操作方法等のアナウンスを出力する撮影側スピーカ２３ａ（図７参照）が備えられている。
【００３１】
また、上記撮影筐体１のうち上記カメラ２１に向かって左側の側面には、プリンタ１２により撮影画像と上記落書き画像との合成画像が印刷された印刷媒体１９（図７）が上記撮影空間３の外側に向かって排出されるプリント取出口８が設けられている。
【００３２】
つぎに、本装置の撮影筐体１の正面について説明する。
【００３３】
図示のように、本装置の撮影筐体（撮影プレイ提供装置）１の正面には、ユーザ６を含む被写体を斜め上から撮影可能に設けられたカメラ２１と、ユーザ６が上記カメラ２１の撮影可能範囲内で遠隔からカメラ２１にシャッタ動作させるための後述のシャッタボタン２０ａや背景画像を切り替えるための後述の背景画像選択ボタン（「進む」ボタン２０ｂ、「戻る」ボタン２０ｃ、カラーチェンジボタン２０ｄ）等を有する遠隔操作スイッチ２０と、カメラ２１により撮像される映像をリアルタイムで表示し、ユーザ６に撮像される映像をモニタ（視覚確認）させるためのライブモニタ２２と、ＢＧＭや操作方法等を音声で出力（アナウンス）する撮影側スピーカ２３ａ（図７）と、デモ画面や撮影中の操作手順等の情報を表示するとともに、ユーザ６からの指示操作を受け付けるためのタッチパネルディスプレイ２４と、対価である硬貨を投入するためのコイン投入口２６と、投入されたが、受け付けられなかった硬貨を排出するコイン返却口２７と、後述の手書き背景画像の手書き入力をユーザ６から受け付ける背景画像受付手段であるタブレットディスプレイ２８と、ユーザ６が上記タブレットディスプレイ２８に対して手書き背景画像の手書き入力を行なうためのタッチペン２８ａとが備えられている。
【００３４】
上記カメラ２１は、デジタルカメラが用いられている。カメラ２１は、撮影側コンピュータ装置１００からシャッタースピード、絞り値、露出補正、ホワイトバランス等の設定項目や撮影タイミング等が指示され、その指示に基づいて被写体を撮影する撮影手段として機能する。
【００３５】
カメラ２１の周囲には、被写体を正面から照射するための照明ボックス１８が備えられている。照明ボックス１８は、箱体で形成され、内部にフラッシュ２９ａ，２９ｂ等のストロボ照明装置や蛍光灯３０等の常灯照明装置を備える。撮影空間３側の面には拡散板が備えられている。なお、照明ボックス１８は、撮影筐体１と一体的に形成され備えられていてもよい。
【００３６】
上記プリント取出口８は、撮影筐体１の内部空間を側面から開閉するための側面扉２５に形成されている。図示のように、側面扉２５の表側の上部には、印刷中であることを報知する報知手段としての印刷中ランプ９、プリンタ１２に充填された印刷媒体１９が空になったことやプリンタ１２にエラーが発生したことを報知するエラーランプ１１が備えられている。
【００３７】
上記撮影筐体１の側面には、上記背景画像表示装置５に表示して背景として用いることができる背景画像をユーザ６に対して案内表示する外部表示装置１１７が配置されている。このように、外部表示装置１１７を撮影空間３外に設け、上記のように案内表示を行なうことで、本装置近傍にいるユーザに対して本装置に対する興味を引くことができ、集客効果が得られる。また、撮影プレイを待機しているユーザ６に対して、前もってどの背景画像を使用したいか等の選択準備をさせることができる。このため、撮影プレイ中においてユーザ６が背景画像を選択する撮影画像選択時間を含む撮影プレイ時間を短縮させることができ、本装置の稼動回転率が低下することを防止することができる。
【００３８】
図２に示すように、上記遠隔操作スイッチ２０は、ユーザ６に対してカメラ２１のシャッタ動作を指示させるためのシャッタボタン２０ａと、予め設定された複数種類の背景画像の中から上記背景画像表示装置５に表示する背景画像をユーザ６が所定の順番で切り替えて表示させるための「進む」ボタン２０ｂと、予め設定された複数種類の背景画像の中から上記背景画像表示装置５に表示する背景画像をユーザ６が上記所定の順番とは逆の順番で切り替えて表示させるための「戻る」ボタン２０ｃと、上記背景画像表示装置５に表示されている背景画像の色彩をユーザ６が所定の順番で切り替えるためのカラーチェンジボタン２０ｄとが設けられている。
【００３９】
上記「進む」ボタン２０ｂ，「戻る」ボタン２０ｃ，カラーチェンジボタン２０ｄは背景画像を選択するためのボタンであるため、これらをまとめて「背景画像選択ボタン」と称する。
【００４０】
上記遠隔操作スイッチ２０は、上記背景画像選択ボタンを有することで、予め設定された複数種類の背景画像の中からいずれかの背景画像をユーザ６に上記カメラ２１の撮影可能範囲内で選択操作させるためのリモートコントロール手段として機能する。このような遠隔操作スイッチ２０を設けることで背景画像の選択における操作性を高めることができる。
【００４１】
図３に示すように、本実施例では、大きく区分して背景画像Ａ〜背景画像Ｊの１０種類の背景画像が予め設定されている。本実施例では、背景画像としては、柄，模様，風景等を表す背景画像や、これらの組み合わせた背景画像等を採用している。そして、これらの背景画像に対してそれぞれ色彩の異なる背景画像が５種類設定されている。すなわち、本実施例では、５０種類の背景画像が設定されている。
【００４２】
本実施例において、上記「色彩の異なる背景画像」は、背景画像の種類は同じで色彩やバリエーションのみが異なる背景画像である。具体的には、無地単色のカラーバリエーション、模様のカラーバリエーション、風景写真のセピア，モノトーン等の色調の異なるバリエーション、風景写真の海，山等の場面バリエーション等を含む。
【００４３】
例えば、本実施例においてデフォルトの背景画像である背景画像Ａが背景画像表示装置５に表示されている場合、「進む」ボタン２０ｂが操作されると、背景画像Ｂが背景画像表示装置５に表示される。「進む」ボタン２０ｂが再度操作されると、図示していない背景画像Ｃが背景画像表示装置５に表示される。また、背景画像Ｊが背景画像表示装置５に表示されている場合、「進む」ボタン２０ｂが操作されると、ループして背景画像Ａが背景画像表示装置５に表示される。このように、背景画像は、後述のＣＰＵ１００ａにより、「進む」ボタン２０ｂの操作ごとに所定の順番（図示の撮影画像Ａ〜撮影画像Ｊの方向）で切り替えられて上記背景画像表示装置５に表示されるようになっている。
【００４４】
また、背景画像Ａが背景画像表示装置５に表示されている場合、「戻る」ボタン２０ｃが操作されると、ループして背景画像Ｊが背景画像表示装置５に表示される。「戻る」ボタン２０ｃが再度操作されると、図示していない背景画像Ｉが背景画像表示装置５に表示される。また、背景画像Ｂが背景画像表示装置５に表示されている場合、「戻る」ボタン２０ｃが操作されると、背景画像Ａが背景画像表示装置５に表示される。このように、背景画像は、後述のＣＰＵ１００ａにより、「戻る」ボタン２０ｃの操作ごとに所定の順番とは逆の順番（図示の撮影画像Ｊ〜撮影画像Ａの方向）で切り替えられて上記背景画像表示装置５に表示されるようになっている。
【００４５】
また、例えば背景画像Ａが背景画像表示装置５に表示されている場合、カラーチェンジボタン２０ｄが操作されると、背景画像Ａの色彩とは異なる色彩の背景画像Ａ−１が表示される。カラーチェンジボタン２０ｄが再度操作されると、背景画像Ａ−１の色彩とは異なる色彩の背景画像Ａ−２が表示される。また、背景画像Ａ−５が背景画像表示装置５に表示されている場合、カラーチェンジボタン２０ｄが操作されると、背景画像Ａ−５の色彩とは異なる色彩の背景画像Ａが表示される。このように、背景画像は、後述のＣＰＵ１００ａにより、カラーチェンジボタン２０ｄの操作ごとに上記背景画像表示装置５に表示されている背景画像の色彩を所定の順番で切り替えて上記背景画像表示装置５に表示するようになっている。
【００４６】
このようにすることにより、ユーザ６は、複数の種類の背景画像の中から好みの背景画像を容易に選択することができる。
【００４７】
再び図１を参照して、上記タブレットディスプレイ２８は、ディスプレイにタッチパネルが積層され、上記背景画像表示装置５に表示する背景画像（具体的には、手書き背景画像）をユーザ６に作成させるための背景画像作成画面（図１１）を表示するとともに、タッチペン２８ａの入力を受け付ける。
【００４８】
上記タッチペン２８ａは、ペン形状の入力装置であって、タブレットディスプレイ２８にタッチすることで、使用する項目（ボタン）の選択、操作の選択等の選択入力や情報の入力を行なうための背景画像入力手段として機能する。このタッチペン２８ａは、本装置に複数備えられていてもよい。
【００４９】
このように、本装置では、ユーザ６は、上記遠隔操作スイッチ２０の背景画像選択ボタンを選択操作し、予め設定された背景画像を上記背景画像表示装置５に表示して撮影を行なったり、上記タブレットディスプレイ２８に表示される背景画像作成画面上で作成した背景画像である手書き背景画像を上記背景画像表示装置５に表示して撮影を行なうことができるようになっている。
【００５０】
図４は、本装置を編集空間７側から見た斜視図を示す。
【００５１】
図示のように、撮影筐体１の背面側には、編集プレイ提供装置としての編集筐体２が設けられている。編集筐体２には、撮影により得られた画像である撮影画像を表示して当該撮影画像に対する編集入力を受け付けるタブレットディスプレイ１３と、落書き画像等の入力操作や各種操作を行なうための複数のタッチペン１４Ｌ，１４Ｒと、編集プレイに関する音を出力するための編集側スピーカ２３ｂとが備えられている。また、ユーザ６のプライバシーに配慮するためのサイドカーテンも備えられている。なお、タブレットディスプレイ１３は、１つであっても複数であってもよい。
【００５２】
上記タブレットディスプレイ１３は、ディスプレイにタッチパネルが積層され、編集空間７内のユーザ６に対して案内を表示したり、メニュー画面、デモ画面、ユーザ６が撮影画像に対して落書き入力を実行するための編集画面等の各種画面や、実行されるプレイ方法（コース）の選択などの選択肢や、遊戯に必要な画像を適宜表示する表示手段としての機能と、ユーザ６がタッチペン１４Ｌ，１４Ｒ等で触れることにより、ユーザ６からの操作を受け付ける受付手段としての機能を有する。
【００５３】
上記タッチペン１４Ｌ，１４Ｒは、ペン形状の入力装置であって、タブレットディスプレイ１３にタッチすることで、使用する項目（ボタン）の選択、操作の選択等の選択入力や情報の入力を行なうための入力手段として機能する。このタッチペン１４Ｌ，１４Ｒは、本装置に複数備えられて同時に複数のユーザ６からの入力操作を可能にしている。なお、ユーザ６からの複数の操作を受け付ける操作部（操作ボタン等）を設けてもよい。
【００５４】
撮影空間３内に設けられた背景画像表示装置５は、例えば三菱電機社製オーロラビジョン（登録商標）Ｒシリーズ等の反射型液晶ディスプレイからなり、外光を利用する反射型デバイスを用いた表示装置である。このため、上記背景画像表示装置５は、当該表示面に照射される光度が高いほど、背景画像を鮮明に表示することができる。本実施例の背景画像表示装置５は、横幅１メートル、高さ２メートルの大きさのものが採用されている。
【００５５】
本実施例では、上記背景画像表示装置５に表示される背景画像は、静止画であるが、動画でもよい。このようにすることにより、撮影を行なうユーザ６は、シャッタタイミングに応じて偶然性のある背景画像を含む撮影画像を得ることができる。
【００５６】
なお、上記背景画像表示装置５としては、バックライトを有する半透過型のものを採用してもよい。この場合、例えば透光性部材からなる保護ガラスや表示板、カラーフィルタ、薄膜トランジスタ層が形成されたガラス板等の透明な基板とこれに対向する透明な基板との間隙部に液晶が封入されて形成された液晶パネル、外光を反射する反射部（反射層）、後述のバックライトからの光を液晶パネルへ導き出すための透光性部材からなる導光板、いわゆる白色光源であるバックライト、これらの駆動を制御する駆動制御部等を含んで構成される半透過反射型液晶ディスプレイを用いてもよい。このようにすることにより、暗いときにはバックライト、撮影時等の明るいときには外光の反射を光源として切り替えて利用することができる。この場合、後述のＣＰＵ１００ａは、ストロボ照明装置や常灯照明装置等の各装置の動作に応じて上記光源が切り替わるよう上記背景画像表示装置５を制御してもよい。例えば、後述のＣＰＵ１００ａは、ストロボ照明装置や常灯照明装置等の照明装置が光を照射していない場合は、バックライトを光源として利用し、当該光を照射している場合は、外光の反射を光源として利用するように上記光源を切り替えてもよい。このようにすることにより、撮影時と比べて照明装置の光度が低い撮影前において、上記バックライトにより背景画像を鮮明に表示することができるため、ライブモニタ２２に表示される映像も鮮明となり、撮影時に近い表示態様の後述の背景画像または手書き背景画像と、被写体との合成イメージを確認することができ、所望の撮影画像を得ることが容易となる。
【００５７】
上記撮影空間３内には、背景画像表示装置５の表示面の前であって撮影を行なうユーザ６の背後に、上記背景画像表示装置５の表示面に向けて光を照射する照明装置である照明ボックス１７ａ，１７ｂ，１７ｃが設けられている。これらの照明ボックスは、上記カメラ２１の周囲に設けられた照明ボックス１８と同様に、箱体で形成され、内部にフラッシュ２９ａ，２９ｂ等のストロボ照明装置や蛍光灯３０等の常灯照明装置を備える。したがって、上記背景画像表示装置５に表示される背景画像がより一層鮮明に表示されるため、ユーザ６は上記鮮明な背景画像を背景として撮影を行なうことができる。
【００５８】
上記照明ボックス１７ａ，１７ｂ，１７ｃは、それぞれ上記撮影可能範囲内のユーザ６および背景画像表示装置５の表示面の２方向に向けて光を照射するものである。したがって、ユーザ６および背景画像表示装置５の表示面に対して十分な光を照射することができ、ユーザ６に対して見栄えのよい撮影画像を提供することができる。
【００５９】
また、１つの照明ボックスで２方向に光を照射することができるため、本装置全体としての構成を簡素化することができるとともに、撮影空間３を狭くすることなく、ユーザ６および背景画像表示装置５の表示面に光を十分に照射することができる。また、１の光源（照明装置）で上記ユーザ６および背景画像表示装置５の表示面の両方を同時に照明できるため、光源効率（光源の発光効率）がよい。すなわち、光源からの発光を効率よく利用することができる。
【００６０】
具体的には、上記照明ボックス１７ａ，１７ｂ，１７ｃは、撮影可能範囲内のユーザ６に向けて光を照射するユーザ照射面と、背景画像表示装置５の表示面に向けて光を照射する背景照射面との２つの照射面を有する。上記ユーザ照射面には、光透過性の低い拡散板が設けられ、上記背景照射面には、光透過性の高い拡散板が設けられている。このようにすることにより、撮影可能範囲内のユーザ６に向けて光度を低くした光を照射でき、背景画像表示装置５の表示面に向けて照明ボックスからの光をそのままの光度で照射することができる。したがって、上記ユーザ６および背景画像表示装置５の表示面に好適な光度の光を照射することができる。
【００６１】
また、本実施例では、上記光透過性の低い拡散板として乳白色の乳白拡散板４０ａを採用し、光透過性の高い拡散板として透明の透明拡散板４０ｂを採用している。このようにすることにより、上記ユーザ６に対して乳白色の光を照射することができ、背景画像表示装置５の表示面に向けて照明ボックスからの光をそのまま照射することができる。したがって、上記ユーザ６と背景画像表示装置５の表示面のそれぞれに好適な色の光を照射することができる。具体的には、上記のように、ユーザ６に対して乳白色の光を照射することで、ユーザ６を色白に撮影することができ、ユーザ６の満足度を向上させることができる。
【００６２】
図５に示すように、照明ボックス１７ａ，１７ｂは、それぞれ横方向から撮影可能範囲内のユーザ６や背景画像表示装置５の表示面に向けて光を照射する第１照明装置として機能する。照明ボックス１７ａは、撮影筐体１の正面に向かって左側に設けられ、照明ボックス１７ｂは、撮影筐体１の正面に向かって右側に設けられている。
【００６３】
図６に示すように、照明ボックス１７ｃは、撮影空間３の天井面に設けられ、上方向から撮影可能範囲内のユーザ６や背景画像表示装置５の表示面に向けて光を照射する第２照明装置として機能する。
【００６４】
上記のように、第１照明装置と第２照明装置とが設けられているため、上記背景画像表示装置５の表示面全体に均一に十分な光を照射することができ、当該背景画像表示装置５に表示される背景画像全体を背景として鮮明に撮影することができる。また、本装置では、ユーザ６が上記背景画像表示装置５の前に位置して撮影を行なう使用形態であるが、上記のように、第１照明装置と第２照明装置とを設けることで、ユーザ６が撮影筐体１の正面に配置された照明ボックス１８から照射される光をさえぎり背景画像表示装置５の表示面に対して光が十分に照射されないという問題が解消される。なお、上記横方向や上方向等の方向は、それぞれ斜め方向を含む趣旨である。例えば、斜め横方向であってもよいし、斜め上方向であってもよい。また、下方向から撮影可能範囲内のユーザ６や背景画像表示装置５の表示面に向けて光を照射する第３照明装置（例えば上記照明ボックスと同じような構成の照明ボックス）を設けてもよい。このようにすることにより、さらに背景画像表示装置５の表示面全体に均一に十分な光を照射することができる。
【００６５】
また、本実施例では、上記背景画像表示装置５は、被写体を斜め上から撮影可能に設けられたカメラ２１の光軸に対して表示面が垂直になるよう設けられている。このようにすることにより、被写体を斜め上から見下ろすように撮影できるとともに、当該被写体の背景を好適な角度で撮影することができる。これにより、カメラ写りの良い背景画像を背景として、例えば被写体であるユーザ６の目が大きく見えるように撮影することができ、ユーザ６の遊戯に対する満足度が向上する。また、背景画像表示装置５の視野角によりカメラ２１で撮像される背景画像の色合いが変わるという問題を防ぐことができる。
【００６６】
つぎに、図７を参照して、本実施例における本装置のシステム構成について説明する。
【００６７】
図示のように、本装置は、主に後述の撮影処理等の本装置を動作させるための処理を実行する撮影側コンピュータ装置１００と、主に後述の編集処理等の本装置を動作させるための処理を実行する編集側コンピュータ装置１０１と、基板等から構成され、動作中の撮影側コンピュータ装置１００および編集側コンピュータ装置１０１からの指示を受け付けて、接続されている各種装置を制御する制御部１０２とを備える。
【００６８】
上記撮影側コンピュータ装置１００は、カメラ２１、ライブモニタ２２、タッチパネルディスプレイ２４、タブレットディスプレイ２８および制御部１０２等と接続され、それらを制御する。編集側コンピュータ装置１０１は、編集部３３のタブレットディスプレイ１３、タッチペン１４Ｌ，１４Ｒ、プリンタ１２、外部と通信するための通信端末１１０、制御部１０２と接続され、それらを制御する。撮影側コンピュータ装置１００と編集側コンピュータ装置１０１は互いに接続され、画像データや情報データ等の情報の授受をピアツーピア（Ｐｅｅｒ  Ｔｏ  Ｐｅｅｒ）で行なう。
【００６９】
各コンピュータ装置に接続する構成要素は、このような形態に限定するものではなく、機能別に分かれていたり位置別に分かれていたりしてもよい。さらに、コンピュータ装置は本実施形態のような２台で構成されていなくてもよく、１台で構成されてもよいし、さらに２台以上備えられていてもよい。
【００７０】
撮影側コンピュータ装置１００は、各種機器の制御を行なう演算装置であるＣＰＵ（Ｃｅｎｔｒａｌ  Ｐｒｏｃｅｓｓｉｎｇ  Ｕｎｉｔ）１００ａと、装置を動作させるためのプログラム、そのプログラムで必要なグラフィックデータ、音声データ、撮影された画像（撮影画像）、上記背景画像表示装置５に表示するための複数種類の背景画像（色彩のみが異なる背景画像を含む）、およびその他の各種画像等を記憶する記憶部１００ｂと、プログラムの一時的な作業領域ともなるメモリ１００ｃと、撮影プレイ開始から終了までの時間を計時する撮影タイマ１００ｄとを含んで構成されている。
【００７１】
ＣＰＵ１００ａは、撮影側コンピュータ装置１００の制御処理を実行する制御手段として機能し、各種制御処理を実行する。
【００７２】
撮影側コンピュータ装置１００は、電源プラグより電源が供給されている状態で電源スイッチ３１が押されると、本装置に電源が投入されて上記プログラムが起動されて動作する。そして、接続されるカメラ２１のシャッタタイミングや、ライブモニタ２２での表示や、タッチパネルディスプレイ２４での表示や、タブレットディスプレイ２８での表示を制御する。
【００７３】
上記タブレットディスプレイ２８は、タッチペン等でタッチされることによって行なわれる入力操作（手書き入力）を受け付け、その入力操作に応じた信号を撮影側コンピュータ装置１００へ入力し、撮影側コンピュータ装置１００は、その信号に基づいてタブレットディスプレイ２８の表示を制御する。
【００７４】
編集側コンピュータ装置１０１は、各種機器の制御を行なう演算装置であるＣＰＵ１０１ａと、装置を動作させるためのプログラム、そのプログラムで必要なグラフィックデータ、音声データ、撮影された画像（撮影画像）、およびその他の各種画像等を記憶する記憶部１０１ｂと、プログラムの一時的な作業領域ともなるメモリ１０１ｃとを含んで構成されている。
【００７５】
ＣＰＵ１０１ａは、編集側コンピュータ装置１０１の制御処理を実行する制御手段として機能し、各種制御処理を実行する。編集側コンピュータ装置１０１は、電源プラグより電源が供給されている状態で電源スイッチ３１が押されると、本装置に電源が投入されて上記プログラムが起動されて動作する。そして、接続されるタブレットディスプレイ１３の表示や、プリンタ１２での出力を制御する。
【００７６】
上記プリンタ１２は、ユーザ６に対して上記カメラ２１による撮影を実行させる撮影処理によりカメラで撮影された被写体および背景画像を含む撮影画像等の画像を紙、シール、金属やプラスチック等の印刷媒体１９に印刷出力するための印刷手段であって、昇華型プリンタやサーモオートクローム方式（光定着型直接感熱記録方式）等のプリンタが用いられる。なお、本装置では、プリンタ１２は、シールに印刷するものとして説明を行なうが、印刷媒体１９は、シールに限定されず、他の印刷媒体であっても同様の処理が実行される。また、プリンタ１２は、上述の用紙切れ等のプリンタ１２に関する情報を編集側コンピュータ装置１０１に送信する。編集側コンピュータ装置１０１は、その情報に応じて制御部１０２に制御信号を送信する。
【００７７】
通信端末１１０は、外部で用意された画像データを本装置で使用するために受信したり、本装置で生成される画像データを外部の端末やサーバなどに送信したりするための無線通信可能な端末であって、ＰＨＳ(Ｐｅｒｓｏｎａｌ  Ｈａｎｄｙ−ｐｈｏｎｅ  Ｓｙｓｔｅｍ)などが用いられる。ＰＨＳはカード型のものを用いてもよいし、外部の端末やサーバ等の装置とインターネット網等のネットワーク網を通じて送受信可能なものであればＰＨＳに限定するものではない。
【００７８】
上記撮影側コンピュータ装置１００は、カメラ２１で撮影された画像を受信し該画像データを記憶部１００ｂへ記憶する。
【００７９】
また、上記撮影側コンピュータ装置１００は、上記プログラムの実行やタッチパネルディスプレイ２４から受信した指示信号（ユーザ６の指等でタッチされることで行なわれる入力操作に応じた信号）に基づいて、制御部１０２に対して制御信号を送信し各機器を制御する。
【００８０】
また、上記撮影側コンピュータ装置１００は、上記背景画像作成画面を表示するタブレットディスプレイ２８から受信した指示信号（タッチペン２８ａ等でタッチされることで行なわれる入力操作に応じた信号）に基づいて、例えばタブレットディスプレイ２８に表示する画面の表示や手書き入力による手書き背景画像の作成進行等を制御する。上記撮影側コンピュータ装置１００は、タブレットディスプレイ２８で受け付けた手書き入力による手書き背景画像を記憶部１００ｂ等（メモリ１００ｃを含む）に格納する。
【００８１】
また、上記撮影側コンピュータ装置１００は、制御部１０２に対して撮影用背景画像制御信号を送信する。上記撮影用背景画像制御信号は、上記撮影側コンピュータ装置１００の記憶部１００ｂに記憶された複数種類の背景画像の中から読み出された背景画像と、当該背景画像を背景画像表示装置５に背景画像を表示させるための制御指令を含んでいる。上記読み出された背景画像は、上記遠隔操作スイッチ２０の背景画像選択ボタンで選択された背景画像や上記タブレットディスプレイ２８に表示される背景画像作成画面上で作成された背景画像（手書き背景画像）である。
【００８２】
すなわち、上記撮影側コンピュータ装置１００は、記憶部１００ｂに記憶された複数種類の背景画像の中から上記遠隔操作スイッチ２０の選択操作に応じて背景画像を読出し、制御部１０２を介して当該背景画像を背景画像表示装置５に表示する。また、上記撮影側コンピュータ装置１００は、背景画像作成画面上に表示された後述の「表示」ボタン１２１（図１１）の操作に応じて記憶部１００ｂ等に記憶された手書き背景画像を読出し、制御部１０２を介して当該背景画像を背景画像表示装置５に表示する。
【００８３】
また、上記撮影側コンピュータ装置１００は、制御部１０２に対して外部表示装置１１７に背景画像を案内表示するための案内用背景画像制御信号を送信する。上記背景画像制御信号は、上記撮影側コンピュータ装置１００の記憶部１００ｂに記憶された複数種類の背景画像の中から読み出された背景画像と、当該背景画像を外部表示装置１１７に案内表示させるための制御指令を含んでいる。上記案内表示については、後で図９を参照して説明する。
【００８４】
上記編集側コンピュータ装置１０１は、上記プログラムや、編集部３３から受信した指示信号に基づいて、制御部１０２に対して制御信号を送信し各機器を制御する。また、編集部３３のタブレットディスプレイ１３は、それぞれ各タッチペン等でタッチされることによって行なわれる入力操作を受け付け、その入力操作に応じた信号を編集側コンピュータ装置１０１へ入力し、編集側コンピュータ装置１０１は、その信号に基づいてタブレットディスプレイ１３の表示を制御する。
【００８５】
また、上記編集側コンピュータ装置１０１は、通信端末１１０を介して携帯端末やＰＣ等の外部端末から送信される画像データ等の情報を受信する。これとは逆に、編集側コンピュータ装置１０１は、編集側コンピュータ装置１０１に記憶されている画像データ等を通信端末１１０から所定のネットワークおよびサーバを介して携帯端末やコンピュータ装置（ＰＣ）等の外部端末へ送信することもできる。
【００８６】
また、本装置は、電源を必要とする撮影側コンピュータ装置１００、編集側コンピュータ装置１０１、蛍光灯３０、制御部１０２等の各種装置の電源系統を制御する電源制御部１０３を備え、電源制御部１０３により外部からそれらの装置に対する電源の電圧を安定させるよう制御する。
【００８７】
上記電源の投入および切断は、電源スイッチ３１を押すことで行なわれる。しかし、電源切断により各コンピュータ装置１００，１０１で動作しているプログラムを強制的に終了させることは、動作を不安定にさせる原因となる場合がある。そのため、電源が落とされても、しばらくはＵＰＳ（Ｕｎｉｎｔｅｒｒｕｐｔｅｄ  Ｐｏｗｅｒ  Ｓｕｐｐｌｙ）１０４が電源をバックアップし、各コンピュータ装置１００，１０１に停電信号を送信する。その間に、各コンピュータ装置１００，１０１はプログラムの終了の手続（処理）を行ない、プログラムを正常に終了させる。また、各コンピュータ装置１００，１０１は、終了操作等により異常なく正規の手順でプログラムを終了した場合は、その旨の信号をＵＰＳ１０４に送信する。
【００８８】
上記制御部１０２は、コンピュータ装置１００，１０１および電源制御部１０３の他に、遠隔操作スイッチ２０、フラッシュ制御部１０６、撮影側スピーカ２３ａ、編集側スピーカ２３ｂ、コイン制御部１０７、印刷中ランプ９、エラーランプ１１、および背景画像表示装置５、外部表示装置１１７と接続され、これらを制御する。
【００８９】
また、上記制御部１０２は、上記遠隔操作スイッチ２０のシャッタボタン２０ａの操作によりその操作タイミングでカメラ２１のシャッタ動作を実行させる。具体的には、上記制御部１０２は、ユーザ６により上記シャッタボタン２０ａが押下されると、シャッタボタン２０ａが操作されたことを示すシャッタボタン操作信号を撮影側コンピュータ装置１００に送信する。撮影側コンピュータ装置１００は、当該シャッタボタン操作信号の受信に応じてカメラ２１のシャッタ動作を実行させる。すなわち、ユーザ６は、撮影する時に所望の撮影するタイミングで上記シャッタボタン２０ａを操作することにより、その操作タイミングでシャッタ動作を実行させることができる。
【００９０】
また、上記制御部１０２は、撮影側コンピュータ装置１００から送信された撮影用背景画像制御信号に基づいて背景画像表示装置５に背景画像を表示するとともに、撮影側コンピュータ装置１００から送信された案内用背景画像制御信号に基づいて外部表示装置１１７に背景画像を表示する。
【００９１】
また、上記制御部１０２は、上記遠隔操作スイッチ２０の「進む」ボタン２０ｂの操作により上記撮影側コンピュータ装置１００に対して「進む」ボタン２０ｂが操作されたことを示す操作信号を送信する。上記撮影側コンピュータ装置１００は、当該操作信号に基づいて記憶部１００ｂの複数種類の背景画像の中からつぎの背景画像を読出し、当該背景画像を制御部１０２に送信する。そして、制御部１０２は、当該背景画像を背景画像表示装置５に表示する。
【００９２】
また、上記制御部１０２は、上記遠隔操作スイッチ２０の「戻る」ボタン２０ｃの操作により上記撮影側コンピュータ装置１００に対して「戻る」ボタン２０ｃが操作されたことを示す操作信号を送信する。上記撮影側コンピュータ装置１００は、当該操作信号に基づいて記憶部１００ｂの複数種類の背景画像の中から前の背景画像を読出し、当該背景画像を制御部１０２に送信する。そして、制御部１０２は、当該背景画像を背景画像表示装置５に表示する。
【００９３】
上記撮影側コンピュータ装置１００は、上記撮影側コンピュータ装置１００の記憶部１００ｂに記憶された複数種類の背景画像の中から所定の順番で撮影画像を読み出すようになっている。このため、本実施例では、上記「つぎの背景画像」とは、現在背景画像表示装置５に表示されている背景画像のつぎに読み出される背景画像である。また、上記「前の背景画像」とは、現在背景画像表示装置５に表示されている背景画像の前に読み出された背景画像である。
【００９４】
なお、本実施例では、遠隔操作スイッチ２０における選択操作に応じて背景画像表示装置５の表示が制御されるようになっているが、これに限定されるものではなく、タッチパネルディスプレイ２４における入力操作に応じて背景画像表示装置５の表示が制御されるようにしてもよい。この場合、制御部１０２は、タッチパネルディスプレイ２４に対してユーザ６が所望の背景を選択する入力操作にしたがった指示信号を撮影側コンピュータ装置１００から受信し、該指示信号にしたがって背景画像表示装置５の表示を制御するようにしてもよい。ここで、本実施例では、背景画像表示装置５や外部表示装置１１７は、制御部１０２と接続されているが、撮影側コンピュータ装置１００や編集側コンピュータ装置１０１と接続され、これらのコンピュータ装置から直接制御されるようにしてもよい。
【００９５】
フラッシュ制御部１０６は、カメラ２１とも接続され、カメラ２１におけるシャッタタイミングに応じた同期信号を取得する。そして、カメラ２１のシャッタタイミングに同期させて、フラッシュ２９ａ，２９ｂを発光させるよう制御する。
【００９６】
また、フラッシュ制御部１０６は、制御部１０２と接続され、制御部１０２の制御に基づいて発光させるフラッシュ２９ａ，２９ｂの選定や、フラッシュ２９ａ，２９ｂの発光度（光量）の設定を行なう。蛍光灯３０も同様に制御部１０２と接続されて、制御部１０２の制御に基づいて、その照明度合い等の設定がなされてもよい。
【００９７】
撮影側スピーカ２３ａ、編集側スピーカ２３ｂは、それぞれ各コンピュータ装置１００，１０１からの指示に基づいて、制御部１０２を介して指示信号を受信し、本装置のプレイにおける操作等の案内や撮影時のＢＧＭ等の各種の音を出力する。
【００９８】
上記コイン制御部１０７は、コイン投入口２６（図１）に投入されたコインの正当性を検出し、制御部１０２にコインが投入されたことを示すコイン検出信号を送信する。また、コイン制御部１０７は、ユーザ６に対してコイン投入を禁止するときは、上記制御部１０２からの信号により、コインが投入されないようにコイン投入口２６をブロックすることができる。これにより、例えばプレイ中にコイン投入を禁止することができる。
【００９９】
上記制御部１０２は、コイン制御部１０７からコイン検出信号を受信すると、そのコイン検出信号を撮影側コンピュータ装置１００に送信する。撮影側コンピュータ装置１００は、制御部１０２から受信したコイン検出信号に基づいて各種装置を制御するようになっている。
【０１００】
さらに、制御部１０２は、編集側コンピュータ装置１０１から、プリンタ１２の状態に応じた制御信号を受信し、該制御信号に基づいて印刷中ランプ９やエラーランプ１１を制御する。かかる制御信号によって、印刷中ランプ９やエラーランプ１１が点灯または点滅する。
【０１０１】
なお、本装置の形態は、図１〜図７に示される具体例に限定されるものではない。すなわち、図１〜図７に示していない機能や装置が備えられていてもよいし、図１〜図７に示している機能や装置が必ずしも全て備えられていなくても構わない。例えば、プリンタ１２は、本装置に含まれていなくてもよい。この場合、本装置は、ＬＡＮ等の通信回線や無線通信等を介して印刷制御信号を外部に設けられた外部プリンタに出力してもよい。
【０１０２】
つぎに、図８のフローチャートを参照して、撮影側コンピュータ装置１００の制御処理の一例について説明する。
【０１０３】
本装置の撮影側コンピュータ装置１００の動作処理は、撮影側コンピュータ装置１００のＣＰＵ１００ａが記憶部１００ｂに記憶されるプログラムをメモリ１００ｃに読出して実行することによって実現される。ここで、「Ｓ」はステップを意味する。
【０１０４】
図示のように、まず、当該写真プリント提供装置に備わる電源スイッチ３１が操作され、電源が投入されると、各種装置に電源が供給される。撮影側コンピュータ装置１００のＣＰＵ１００ａは、記憶部１００ｂに記憶されたプログラムを起動する。ついで、ＣＰＵ１００ａは、各種装置が正常に接続されているかチェックし、初期化が必要な装置に対して初期化処理を行ない、本装置の使用を促すタイトルデモ（デモ画面）をタッチパネルディスプレイ２４に表示し、それに応じて撮影側スピーカ２３ａから音声を出力するタイトルデモ処理を行なう（Ｓ１）。
【０１０５】
上記タイトルデモ処理では、ＣＰＵ１００ａは、外部表示装置１１７に背景画像案内表示画面（図９参照）を表示する。
【０１０６】
図９（Ａ），（Ｂ）に示すように、背景画像案内表示画面は、上記撮影側コンピュータ装置１００の記憶部１００ｂに記憶された複数種類の背景画像をユーザ６に対して案内表示するための画面である。
【０１０７】
背景画像案内表示画面では、例えば、図９（Ａ）に示すように、ＣＰＵ１００ａは、上記撮影側コンピュータ装置１００の記憶部１００ｂに記憶された複数種類の背景画像を順番に表示するスライド表示を行なったり、図９（Ｂ）に示すように、現在背景画像表示装置５に表示されている背景画像を表示するライブ表示を行なうようになっている。上記背景画像表示装置５に表示されている背景画像は、現在カメラ２１に撮影されている背景画像を含む映像（すなわち、ライブモニタ２２に表示されている映像と同じ映像）である。
【０１０８】
図８に示すように、ついで、ＣＰＵ１００ａは、デモ画面が表示されている間にコイン制御部１０７からコイン検出信号を受信し、所定の対価（例えば、４００円）を受け付けたか否かを判別する（Ｓ２）。ここで、対価を受け付けたと判別すると（Ｓ２で“ＹＥＳ”）、Ｓ３に進み、対価を受け付けていないと判別すると（Ｓ２で“ＮＯ”）、このまま待機する。すなわち、デモ画面が表示されている状態で所定の対価受付を監視している。
【０１０９】
所定の対価を受け付けると（Ｓ２で“ＹＥＳ”）、ＣＰＵ１００ａは、ユーザ６に対して上記カメラ２１による撮影を実行させる撮影処理（Ｓ３〜Ｓ１０の処理を含む）を開始し外部表示装置１１７に「撮影中」と表示された撮影中画面（図８（Ｃ））を表示する（Ｓ３）。
【０１１０】
図９（Ｃ）に示すように、撮影中画面では、外部表示装置１１７に撮影プレイを待機するユーザ等に対して、現在撮影プレイが行なわれていることを報知するとともに、背景画像の案内が表示されるようになっている。このように、背景画像の案内が表示されることで、撮影プレイを待機しているユーザ６は、その待機している間に撮影時に使用したい背景画像の選択準備をすることができる。
【０１１１】
ついで、ＣＰＵ１００ａは、背景画像表示装置５にデフォルトの背景画像Ａを表示し（Ｓ４）、撮影タイマ１００ｄによって撮影プレイを行なうことが可能な時間を示す撮影プレイ制限時間の計時（カウント）を開始する（Ｓ５）。ユーザ６は撮影プレイ制限時間内で撮影プレイを行なう。また、撮影プレイを開始する前に、撮影コースの選択肢をタッチパネルディスプレイ２４に提示し、撮影コースの選択をユーザ６から受け付ける撮影コース選択処理を行なってもよい。この場合、ユーザ６が選択した撮影コースの撮影手順で撮影処理が進行する。
【０１１２】
上記撮影処理の間、ＣＰＵ１００ａは、カメラ２１から取得される画像をライブモニタ２２にリアルタイムで表示する。ユーザ６はライブモニタ２２の表示によって撮影時のポーズや表情などを視覚確認できるようになっている。
【０１１３】
すなわち、上記ライブモニタ２２には、ユーザ６とともに、ユーザ６の背景として背景画像表示装置５に表示される背景画像または後述の手書き背景画像がカメラ２１で撮像され表示されているため、ユーザ６はリアルタイムに背景画像または後述の手書き背景画像と、被写体との合成イメージを確認することができる。
【０１１４】
ついで、ＣＰＵ１００ａは、上記複数種類の背景画像の中から背景画像表示装置５に表示する背景画像を設定する背景画像設定処理を行なう（Ｓ６）。背景画像設定処理では、ユーザ６に対して遠隔操作スイッチ２０を選択操作させ、上記複数種類の背景画像の中から背景画像表示装置５に表示する背景画像を選択させ、当該選択に応じて背景画像表示装置５に表示する背景画像を設定するようになっている。
【０１１５】
また、図示していないが、上記タブレットディスプレイ２８に背景画像作成画面（図１１）を表示し、当該背景画像作成画面上で背景画像表示装置５に表示する手書き背景画像の手書き入力をユーザ６から受け付ける手書き背景画像作成処理が上記背景画像設定処理と略同時に並行して行なわれる。
【０１１６】
ここで、図１０を参照して、上記背景画像設定処理について説明する。
【０１１７】
まず、ＣＰＵ１００ａは、遠隔操作スイッチ２０の「進む」ボタン２０ｂが操作されたか否かを判別する（Ｓ２１）。ここで、「進む」ボタン２０ｂが操作されたと判別すると（Ｓ２１で“ＹＥＳ”）、つぎの背景画像を背景画像表示装置５に表示し（Ｓ２２）、Ｓ２１に戻り、「進む」ボタン２０ｂが操作されていないと判別すると（Ｓ２１で“ＮＯ”）、Ｓ２３に進む。
【０１１８】
ついで、ＣＰＵ１００ａは、遠隔操作スイッチ２０の「戻る」ボタン２０ｃが操作されたか否かを判別する（Ｓ２３）。ここで、「戻る」ボタン２０ｃが操作されたと判別すると（Ｓ２３で“ＹＥＳ”）、前の背景画像を背景画像表示装置５に表示し（Ｓ２４）、Ｓ２１に戻り、「戻る」ボタン２０ｃが操作されていないと判別すると（Ｓ２３で“ＮＯ”）、Ｓ２５に進む。
【０１１９】
ついで、ＣＰＵ１００ａは、遠隔操作スイッチ２０のカラーチェンジボタン２０ｄが操作されたか否かを判別する（Ｓ２５）。ここで、カラーチェンジボタン２０ｄが操作されたと判別すると（Ｓ２５で“ＹＥＳ”）、背景画像表示装置５に現在表示されている背景画像の色彩とは異なる色彩の背景画像を背景画像表示装置５に表示し（Ｓ２６）、Ｓ２１に戻り、カラーチェンジボタン２０ｄが操作されていないと判別すると（Ｓ２５で“ＮＯ”）、Ｓ２７に進む。
【０１２０】
このように、ＣＰＵ１００ａは、上記遠隔操作スイッチ２０の背景画像選択ボタンで選択された背景画像を上記背景画像表示装置５に表示するため、ユーザ６は、上記カメラ２１の撮影可能範囲内で上記複数種類の背景画像の中からいずれかの背景画像を選択操作し、当該選択した背景画像を背景として撮影することができる。すなわち、ユーザ６は、撮影可能範囲内で撮影したい位置から移動することなく、撮影したい位置や構図で撮影のポーズをとりながら当該ポーズに合った背景画像を容易に選択することができる。また、上記背景画像が予め複数種類記憶されているため、背景の種類にバリエーションが広がり、ユーザ６に対して好みに応じた撮影画像を提供することができる。
【０１２１】
ついで、ＣＰＵ１００ａは、背景画像作成画面（図１１）の「表示」ボタン１２１が操作されたか否かを判別する（Ｓ２７）。ここで、「表示」ボタン１２１が操作されたと判別すると（Ｓ２７で“ＹＥＳ”）、Ｓ２８に進み、「表示」ボタン１２１が操作されていないと判別すると（Ｓ２７で“ＮＯ”）、図８のＳ７に進む。
【０１２２】
ここで、図１１を参照して、背景画像作成画面について説明する。
【０１２３】
図１１に示すように、背景画像作成画面は、ユーザ６が手書き背景画像を手書き入力するための作業領域（入力領域）である手書き背景画像入力領域７０と、ユーザ６が手書き入力を行なう機能である「ペン」，「スタンプ」，「フレーム」，「スペシャル」等の手書き入力ツールを選択するための選択領域である手書き入力機能選択領域７１と、ユーザ６が作成した手書き背景画像をサムネイル表示するとともに、選択するための背景画像選択領域７３と、ユーザ６が手書き背景画像入力領域７０に表示されている手書き背景画像を背景画像表示装置５に表示させるための「表示」ボタン１２１と、手書き背景画像入力領域７０に現在表示されている手書き背景画像を保存（記憶部１００ｂに格納）して新しく手書き背景画像の手書き入力を行なうための「新規作成」ボタン１２３とを含んで構成される。もちろんこのような配置に限定するものではなく、上述の機能が使用できればよい。
【０１２４】
さらに手書き入力を最初からやり直すための「はじめから」ボタン、入力した画像を消すための「けしごむ」ボタン、入力操作を１つ前の状態に戻すための「もどる」ボタン、１つ前の状態に戻した場合に更に元に戻すための「すすむ」ボタン、ペン機能を使用する場合のペンの太さを設定するための「サイズ」ボタン等の操作ボタンがそれぞれの領域に表示されている。
【０１２５】
なお、手書き入力された手書き背景画像は、スタンプ画像の層やフレーム画像の層等の画層で構成されていてもよい。また、各画層を複数の層で構成し、手書き背景画像を当該複数の層で構成してもよい。
【０１２６】
ユーザ６は、手書き入力機能選択領域７１から手書き入力ツールを選択し、手書き背景画像入力領域７０に手書き背景画像を手書き入力するようになっている。「新規作成」ボタン１２３が操作されると、手書き背景画像入力領域７０に表示されている手書き背景画像が保存され、当該手書き背景画像に対応する縮小画像が背景画像選択領域７３にサムネイル表示される。上記手書き背景画像をサムネイル表示する背景画像選択領域７３が操作されると、当該背景画像選択領域７３にサムネイル表示されている手書き背景画像が手書き背景画像入力領域７０に表示される。なお、「新規作成」ボタン１２３が操作されると、手書き背景画像入力領域７０に表示されている手書き背景画像を消去して新たにユーザ６に対して手書き背景画像を手書き入力させるようにしてもよいし、手書き背景画像入力領域７０に表示されている手書き背景画像を消去せずに、そのまま継続してユーザ６に対して手書き背景画像を手書き入力させるようにしてもよい。
【０１２７】
このようにすることにより、ユーザ６は、いくつかの手書き背景画像を作成することができ、それらの手書き背景画像の中から背景として使用したい手書き背景画像を選択することができる。
【０１２８】
図１０の説明に戻り、背景画像作成画面の「表示」ボタン１２１が操作されると、ＣＰＵ１００ａは、背景画像作成画面の背景画像入力領域７０に表示された手書き背景画像を記憶部１００ｂに格納する（Ｓ２８）。このとき、当該手書き背景画像が背景画像入力領域７０に固定される。ついで、ＣＰＵ１００ａは、上記記憶部１００ｂに格納した手書き背景画像を背景画像表示装置５に表示し（Ｓ２９）、Ｓ２１に戻る。
【０１２９】
予め設定された背景画像が上記背景画像表示装置５に表示されている場合には、当該背景画像が上記手書き背景画像に切り替わって表示される。この後、さらに上記遠隔操作スイッチ２０の背景画像選択ボタンが選択操作されると、上記背景画像表示装置５に表示されている上記手書き背景画像が当該選択操作に応じた背景画像に切り替わって表示される。
【０１３０】
このように、ＣＰＵ１００ａは、上記タブレットディスプレイ２８で受け付けた手書き背景画像を上記背景画像表示装置５に表示するため、ユーザ６は、自分で手書き入力した手書き背景画像を背景として撮影を行なうことができ、自分の好みに応じた撮影画像を得ることができる。
【０１３１】
図８の説明に戻り、上記背景画像設定処理を行なうと（Ｓ６）、ＣＰＵ１００ａは、遠隔操作スイッチ２０のシャッタボタン２０ａが操作されたか否かを判別する（Ｓ７）。ここで、シャッタボタン２０ａが操作されたと判別すると（Ｓ７で“ＹＥＳ”）、Ｓ８に進み、シャッタボタン２０ａが操作されていないと判別すると（Ｓ７で“ＮＯ”）、Ｓ１０に進む。すなわち、ＣＰＵ１００ａは、シャッタボタン２０ａが操作（押下）されたかどうか監視する。
【０１３２】
シャッタボタン２０ａが操作されると（Ｓ７で“ＹＥＳ”）、ＣＰＵ１００ａは、各照明ボックス内部のフラッシュ２９ａ，２９ｂを発光し、撮影（シャッタ動作）を行なう（Ｓ８）。
【０１３３】
ここでは、図１２に示すように、ユーザ６は、カメラ２１により背景画像表示装置５に表示された背景画像（手書き背景画像）を背景として撮影される。シャッタ動作が行なわれる際には、各照明ボックス１７ａ，１７ｂ，１７ｃからユーザ６や背景画像表示装置５の表示面等にストロボ光が照射される。図示の背景画像表示装置５には上記手書き背景画像が表示されている。
【０１３４】
撮影が行なわれると（Ｓ８）、ＣＰＵ１００ａは、当該撮影画像を記憶部１００ｂに格納し（Ｓ９）、Ｓ１０に進む。
【０１３５】
遠隔操作スイッチ２０のシャッタボタン２０ａが操作されていないと（Ｓ７で“ＮＯ”）、ＣＰＵ１００ａは、撮影時間が撮影プレイ制限時間に達したか否かを判別する（Ｓ１０）。ここで、撮影プレイ制限時間に達したと判別すると（Ｓ１０で“ＹＥＳ”）、Ｓ１に戻り撮影処理を終了し、新たなユーザ６の使用を待機する。撮影制限時間に達していないと判別すると（Ｓ１０で“ＮＯ”）、Ｓ６に戻る。
【０１３６】
すなわち、撮影処理では、撮影プレイ制限時間に達していなければ（Ｓ１０で“ＮＯ”）、ＣＰＵ１００ａは、背景画像の選択をユーザ６から再度受け付け（Ｓ６）、撮影を実行させる（Ｓ８）。このように、本実施例では、撮影プレイ制限時間内であれば、ユーザ６は、好みの背景画像を選択しながらの撮影を任意の回数行なうことができる。
【０１３７】
図示していないが、撮影処理が終了すると、ＣＰＵ１００ａは、編集対象画像選択画面をタッチパネルディスプレイ２４に表示する。この処理では、撮影画像の中から編集する画像を所定枚数（ここでは４枚）ユーザ６に選択させる。この処理において、ユーザ６が選択した画像を編集対象画像とする。ついで、ＣＰＵ１００ａは、ユーザ６を編集部３３（編集空間７）へ誘導するように促す誘導案内を行ない、編集対象画像（撮影画像）を編集部３３へ転送する画像データ転送処理を行なう。この画像データ転送処理では、上記選択された撮影側コンピュータ装置１００に記憶されている該ユーザ６の編集対象画像データを編集側コンピュータ装置１０１の記憶部１０１ｂの画像データ用の記憶領域へ転送するようになっている。
【０１３８】
以上が撮影側コンピュータ装置１００の制御処理の一例である。
【０１３９】
この後、本装置の編集側コンピュータ装置１０１のＣＰＵ１０１ａにより、上記撮影画像に対して落書き画像を入力させるようになっている。ＣＰＵ１０１ａは、上記編集処理が終了すると、ユーザ６所望のシールレイアウトの選択を行なう印刷レイアウト選択処理を行なう。上記印刷レイアウト選択処理では、編集対象画像の枚数に応じて、予め決められた複数の印刷レイアウトで構成された印刷レイアウト選択画面を表示し、上記複数の印刷レイアウトの中からユーザ６に対して好みの印刷レイアウトを選択させるようになっている。
【０１４０】
上記印刷レイアウト選択処理が終了すると、ＣＰＵ１０１ａは、選択されたレイアウトに基づいて編集対象画像と落書き画像（落書き入力画像）とを合成した合成画像を含む印刷画像データを作成する印刷画像作成処理を行なう。
【０１４１】
印刷画像作成処理が完了すると、ＣＰＵ１００ａは、プリンタ１２に印刷開始の指示とともに、上記作成された印刷画像データを転送する印刷開始処理を行なう。すなわち、プリンタ１２は、上記撮影画像と上記落書き画像との合成画像を印刷画像データに基づいて印刷媒体１９に印刷出力する。
【０１４２】
印刷開始処理が行なわれ、プリンタ１２から正常に印刷が開始された旨の通知があると、待機画面をタブレットディスプレイ１３に表示するとともに、編集側スピーカ２３ｂから待機案内を再度出力し、次のユーザ６の編集操作を待機する。以上の処理が、１組のユーザ６が本実施の形態の写真プリント提供装置で行なうプレイである。
【０１４３】
このように、本装置では、光度の高い光を照射するほど鮮明に表示する反射型表示装置である背景画像表示装置５を被写体の背景となる領域に備えている。このため、撮影環境の明るさに応じて被写体の見栄えが良くなるとともに、背景画像表示装置５に表示される背景画像が鮮明となるため、ユーザ６は、鮮明度の高い背景画像を背景として撮影することができ、見栄えの良い背景画像を含む撮影画像を得ることができる。また、上記背景画像表示装置５に表示される背景画像を背景として被写体が撮影されるため、クロマキー合成による背景に比べて被写体と背景画像との境界部分が自然な合成がされた撮影画像をユーザ６に対して提供することができるとともに、クロマキー合成を行なう必要がなくなるため、本装置の処理負荷を少なくすることができる。
【０１４４】
なお、ユーザの遊戯を終了しても、本装置の電源を切っても上記背景画像作成画面上で作成された手書き背景画像を保存（ストック）しておくようにしてもよい。この場合、前述の制御手段は、ユーザの操作に応じて上記ストックされた手書き背景画像を読み出すようにしてもよい。このようにすることにより、手書き背景画像を作成したユーザは、作成した手書き背景画像を記念として残すことができるとともに、以前に作成した手書き背景画像を再び背景として使用することができ、本装置のリピーターとなる。また、前述の制御手段は、上記手書き背景画像毎にパスワード（識別情報）と関連付けて保存し、手書き背景画像を作成したユーザに対して当該手書き背景画像のパスワードを発行（音声出力や画面表示等）するようにし、当該パスワードの入力に応じた手書き背景画像を読み出すようにしてもよい。このようにすることにより、ユーザが自分で作成した手書き背景画像が他のユーザに使用されることを防止することができる。
【０１４５】
また、前述の制御手段は、予め設定された背景画像を背景画像受付手段に表示された上記背景画像作成画面上に表示し、当該背景画像に対する手書き背景画像の手書き入力を前述の背景画像受付手段が受け付けるようにしてもよい。すなわち、ユーザが予め設定された背景画像に手書き背景画像を合成できるようにしてもよい。このようにすることにより、ユーザは簡易な手書き入力でオリジナリティーのある手書き背景画像を作成することができる。
【０１４６】
また、本装置のコンピュータ装置の制御方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカード等のコンピュータ読取り可能な記録媒体に記録させて、プログラム製品として提供することもできる。あるいは、コンピュータに内蔵するハードディスク等の記録媒体に記録させて、プログラムを提供することもできる。また、電気通信回線や衛星通信回線等のネットワークを通じて、プログラムを提供することもできる。提供されるプログラム製品は、ハードディスク等のプログラム格納部にインストールされて実行される。なお、プログラム製品は、プログラム自体と、プログラムが記録された記録媒体とを含む。
【０１４７】
上記実施例は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４８】
【図１】本発明の写真プリント提供装置の外観を示す斜視図である。
【図２】遠隔操作スイッチを示す図である。
【図３】背景画像の切り替わりを示す図である。
【図４】本装置を編集空間側から見た斜視図である。
【図５】上から見た撮影空間を示す図である。
【図６】横から見た撮影空間を示す図である。
【図７】写真プリント提供装置のシステム構成図である。
【図８】撮影側コンピュータ装置の制御処理を示すフローチャートである。
【図９】外部表示装置に表示される画面を示す図である。
【図１０】背景画像設定処理を示すフローチャートである。
【図１１】背景画像作成画面を示す図である。
【図１２】カメラとユーザと背景画像表示装置との関係を示す図である。
【符号の説明】
【０１４９】
１        撮影筐体
２        編集筐体
３        撮影空間
５        背景画像表示装置
６        ユーザ
７        編集空間
８        プリント取出口
９        印刷中ランプ
１１      エラーランプ
１２      プリンタ
１３      タブレットディスプレイ
１４Ｌ    タッチペン
１４Ｒ    タッチペン
１７ａ    照明ボックス
１７ｂ    照明ボックス
１７ｃ    照明ボックス
１８      照明ボックス
１９      印刷媒体
２０      遠隔操作スイッチ
２０ａ    シャッタボタン
２０ｂ    「進む」ボタン
２０ｃ    「戻る」ボタン
２０ｄ    カラーチェンジボタン
２１      カメラ
２２      ライブモニタ
２３ａ    撮影側スピーカ
２３ｂ    編集側スピーカ
２４      タッチパネルディスプレイ
２５      側面扉
２６      コイン投入口
２７      コイン返却口
２８      タブレットディスプレイ
２８ａ    タッチペン
２９ａ    フラッシュ
２９ｂ    フラッシュ
３０      蛍光灯
３１      電源スイッチ
３３      編集部
４０ａ    乳白拡散板
４０ｂ    透明拡散板
７０      手書き背景画像入力領域
７１      手書き入力機能選択領域
７３      背景画像選択領域
１００    撮影側コンピュータ装置
１００ａ  ＣＰＵ
１００ｂ  記憶部
１００ｃ  メモリ
１００ｄ  撮影タイマ
１０１    編集側コンピュータ装置
１０１ａ  ＣＰＵ
１０１ｂ  記憶部
１０１ｃ  メモリ
１０２    制御部
１０３    電源制御部
１０４    ＵＰＳ
１０６    フラッシュ制御部
１０７    コイン制御部
１１０    通信端末
１１７    外部表示装置
１２１    「表示」ボタン
１２３    「新規作成」ボタン
【図１】
2006053282.tif 000003
【図２】
2006053282.tif 000004
【図３】
2006053282.tif 000005
【図４】
2006053282.tif 000006
【図５】
2006053282.tif 000007
【図６】
2006053282.tif 000008
【図７】
2006053282.tif 000009
【図８】
2006053282.tif 000010
【図９】
2006053282.tif 000011
【図１０】
2006053282.tif 000012
【図１１】
2006053282.tif 000013
【図１２】
2006053282.tif 000014